(57)【要約】【課題】着脱可能な光送受信モジュールを備える光ファイバ測定装置を提供する。【解決手段】上・下部カバー１３、１４、光ファイバ信号受信処理モジュール５及び着脱可能な光送受信モジュール２を備え、上下カバー間に光送受信モジュール収納空間及び該モジュールの収納空間に至る開口を有する。光ファイバ信号受信処理モジュール５は、カバー内のモジュール収納空間内に配置され、回路板５１及び回路板５１上に接合される信号コネクタ５２を具え、着脱可能な光送受信モジュール２は、カバー１開口からモジュール収納空間内に挿入され、引き手２３２により引き出し可能とされ、光ファイバは光ファイバコネクタ７１を介して、光ファイバコネクタ挿着端部２３に挿入され、コネクタ挿着端部２２は、光ファイバ信号受信処理モジュール５の信号コネクタ５２に挿着される。【選択図】図４
0003140640.tif 000002
【実用新案登録請求の範囲】
【請求項１】
カバー、光ファイバ信号受信処理モジュール及び着脱可能な光送受信モジュールを備える光ファイバ測定装置であって、
前記カバーは、内部にこれらのモジュール収納空間及び該モジュールの収納空間の開口部を有し、
前記光ファイバ信号受信処理モジュールは、回路板及び前記回路板上に接合される信号コネクタを具えて前記モジュール収納空間内に配置され、
前記着脱可能な光送受信モジュールは、前記カバーの前記開口部からカバー内の前記モジュール収納空間内に挿入、引き出し可能に配置されると共に、
該着脱可能な光送受信モジュールは、コネクタ挿着端部及び光ファイバコネクタ挿着端部を具えて、該コネクタ挿着端部は前記光送受信処理モジュールの信号コネクタに挿着されることを特徴とする着脱可能な光送受信モジュールを備える光ファイバ測定装置。
【請求項２】
滑り溝を有するカバーを上記モジュール収容空間内に配置し、その底部に形成された複数の尖状凸体を介して前記光ファイバ信号受信処理モジュールの回路板上に配置し、該光ファイバ信号受信処理モジュールの前記回路板との間に前記着脱可能な光送受信モジュールを挿入する光送受信モジュール収納空間を形成したことを特徴とする請求項１に記載の着脱可能な光送受信モジュールを備える光ファイバ測定装置。
【請求項３】
前記着脱可能な光送受信モジュールの前記コネクタ挿着端部は、光ファイバ信号伝送インターフェイスを有し、前記光ファイバ信号受信処理モジュールの前記信号コネクタは、光ファイバ信号接続ポートを有し、前記滑り溝を有するカバーは挿着ユニットを配置するコネクタ結合側を有し、前記挿着ユニットは、前記着脱可能な光送受信モジュールの前記コネクタ挿着端部の前記光ファイバ信号伝送インターフェイスと、前記光ファイバ信号受信処理モジュールの前記信号コネクタの前記光ファイバ信号接続ポートと、を接続することを特徴とする請求項２に記載の着脱可能な光送受信モジュールを備える光ファイバ測定装置。
【請求項４】
前記着脱可能な光送受信モジュールは引き手を有し、該引き手は前記着脱可能な光送受信モジュールの前記光ファイバコネクタ挿着端部に配置され、該引き手を介して前記モジュール収納空間から前記着脱可能な光送受信モジュールを抜き出し可能としたことを特徴とする請求項１に記載の着脱可能な光送受信モジュールを備える光ファイバ測定装置。
【請求項５】
前記カバーの前記開口部に防塵カバーを被せて配置し、
さらに、前記カバーの所定位置に変調制御ユニットを配置し、
前記電源制御ユニットは、前記カバー上に配置されたことを特徴とする請求項１に記載の着脱可能な光送受信モジュールを備える光ファイバ測定装置。
【請求項６】
前記カバーは上部カバー及び下部カバーからなり、前記モジュール収納空間は前記上部カバーと前記下部カバーとが互いに合わされた間に形成され、前記下部カバーは少なくとも１つの電池ユニットを収納する電池ユニット収納空間を有することを特徴とする請求項１に記載の着脱可能な光送受信モジュールを備える光ファイバ測定装置。
【考案の詳細な説明】
【技術分野】
【０００１】
本考案は、光ファイバ測定装置に関し、特に着脱可能な光送受信モジュールを備える光ファイバ測定装置に関する。
【背景技術】
【０００２】
ここ数年、無線ＬＡＮの光ファイバ化が徐々に進んでいる。光ファイバケーブルシステムは、銅ケーブルシステムに比べて高価であるものの、ユーザが、高速インターネット通信、及びGビット／秒のデータ伝送速度で処理するブロードバンドに関する要求を満たすことができる。これらのシステムに使用される光ファイバケーブルは、光ファイバ末端が適切に整合するように、特殊コネクタ又はカードアダプタを有するものが多い。
【０００３】
光ファイバケーブルの敷設又は再取付の作業は、ケーブル敷設又は宅内配線の技術者により施工されることが多い。例えば、電子工業協会（ＥＬＡ）や電信工業協会（ＴＬＡ）などの工業団体が光ファイバ通信業界において使用上の最低基準を定めているが、光ファイバケーブルの特性が最低基準を満たしていることを確認するため、光ファイバケーブルの敷設前に、慎重にテストを行なう必要がある。光ファイバケーブルの特性は、光ファイバの長さ、ブロードバンド容量、光が光ファイバ中を透過する際の光損失などを含む。
【０００４】
従来の測定方法に光パルス試験機（ＯＴＤＲ）方式がある。光パルス試験機は、距離当たりの光損失を計算表示する。また、コネクタ、ジョイント、破断点の反射及び光ファイバ材料自体から過程指標を提供する。
【０００５】
成長著しい光ファイバ通信網の敷設における需要において、光ファイバ線路測定作業の利便性を向上させることは、迅速な測定作業の質を向上させるだけでなく、施工上の負担を効果的に軽減することができる。従来の無線ラン光ファイバ線路測定手段は、レーザーダイオードを光源にした測定器を用いて、光ファイバ接続端の芯線の一方の端部に正確に試験光を透過して、芯線の他方の端部のパルス受信の有無又は受信したパルス信号の強弱を基にして、光ファイバの破断点や故障箇所を検出する。
【０００６】
上述の光パルス試験機は、高価であった。また、光ファイバ通信に用いられる光源は、用途により異なるため、パルス信号の伝送原理が同じであっても、異なる光源周波数帯には、異なる光ファイバ測定装置及び挿着構造が必要であった。従来の光ファイバ測定装置は、体積が大きく、内部に配置される光送受信モジュールは固定型のため、光ファイバ測定装置の交換過程は煩わしいものであった。
【特許文献１】特開２００７−３３２５５号公報
【考案の開示】
【考案が解決しようとする課題】
【０００７】
本考案の第１の目的は、ユーザが異なる種類の光ファイバに対して行なう測定に便宜をもたらす着脱可能な光送受信モジュールを備える光ファイバ測定装置を提供することにある。
本考案の第２の目的は、光ファイバ測定装置のコストを節約し、光ファイバ測定作業を簡素化する小型の着脱可能な光送受信モジュールを備える光ファイバ測定装置を提供することにある。
【課題を解決するための手段】
【０００８】
上述の目的を達成するため、本考案は、着脱可能な光送受信モジュールを備える光ファイバ測定装置を提供する。本考案の着脱可能な光送受信モジュールを備える光ファイバ測定装置は、カバー、光ファイバ信号受信処理モジュール及び着脱可能な光送受信モジュールを備える。カバーは、モジュール収納空間及びモジュールの収納空間に繋がる開口部を有する。光ファイバ信号受信処理モジュールは、カバーのモジュール収納空間内に配置され、回路板及び回路板上に接合される信号コネクタを有する。着脱可能な光送受信モジュールは、カバーの開口部からカバーのモジュール収納空間内に挿入したり、カバーのモジュール収納空間から取り出したりすることが可能である。着脱可能な光送受信モジュールは、コネクタ挿着端部及び光ファイバコネクタ挿着端部を有する。コネクタ挿着端部は、光ファイバ信号受信処理モジュールの信号コネクタに挿着される。
【０００９】
本考案の着脱可能な光送受信モジュールを備える光ファイバ測定装置は、引き手をさらに備える。引き手は着脱可能な光送受信モジュールの光ファイバコネクタ挿着端部に配置され、ユーザは引き手を介してモジュール収納空間から着脱可能な光送受信モジュールを抜き出すことができる。
【考案の効果】
【００１０】
本考案の着脱可能な光送受信モジュールを備える光ファイバ測定装置は、光ファイバ測定装置のコストを大幅に削減するだけでなく、ユーザの測定時の使用勝手及び光送受信モジュールの交換における利便性を増加させることができる。
【考案を実施するための最良の形態】
【００１１】
以下、本考案の実施形態を図面に基づいて説明する。図１は、本考案の実施形態による着脱可能な光送受信モジュールを備える光ファイバ測定装置を示す斜視図である。図２は、本考案の実施形態による着脱可能な光送受信モジュールを備える光ファイバ測定装置を示す平面図である。図３は、本考案の実施形態による着脱可能な光送受信モジュールを備える光ファイバ測定装置を示す分解斜視図である。図１〜３に示すように、本考案の実施形態における着脱可能な光送受信モジュールを備える光ファイバ測定装置１００は、カバー１、着脱可能な光送受信モジュール２及び防塵カバー３からなる。カバー１は、モジュール収納空間１１及びモジュールの収納空間１１に達する開口部１２を有し、着脱可能な光送受信モジュール２は、カバー１の開口部１２からカバー１のモジュール収納空間１１内に挿入したり、カバー１のモジュール収納空間１１から取り出したりすることができる。着脱可能な光送受信モジュール２がカバー１の開口部１２からカバー１のモジュール収納空間１１内に挿入された後、塵が着脱可能な光送受信モジュール２又はカバー１のモジュール収納空間１１内に進入したり、レーザ光がユーザの目を直接照射したりするのを防止するため、防塵カバー３をカバー１の開口部１２に被せる。
【００１２】
図４は、本考案の実施形態による着脱可能な光送受信モジュールを備える光ファイバ測定装置を示す分解側面図である。図５は、本考案の実施形態による着脱可能な光送受信モジュールを備える光ファイバ測定装置を示す分解正面図である。図４及び図５に示すように、カバー１は、上部カバー１３及び下部カバー１４からなる。カバー１のモジュール収納空間１１は、上部カバー１３と下部カバー１４とを結合した内部に形成される。下部カバー１４は、少なくとも１つの電池ユニット４を収納する電池ユニット収納空間１４１を有する。蓋体１５は、下部カバー１４の電池ユニット収納空間１４１に被せられる。
【００１３】
本考案の実施形態による着脱可能な光送受信モジュールを備える光ファイバ測定装置１００は、光ファイバ信号受信処理モジュール５及び滑り溝を有するカバー６をさらに具える。光ファイバ信号受信処理モジュール５は、カバー１のモジュール収納空間１１内に配置され、回路板５１及び回路板５１上に接合される信号コネクタ５２を有する。滑り溝を有するカバー６は、尖状凸体６１を介して光ファイバ信号受信処理モジュール５の回路板５１上に配置され、光ファイバ信号受信処理モジュール５の回路板５１との間に着脱可能な光送受信モジュール２を挿入する光送受信モジュール収納空間２１を形成する。
【００１４】
着脱可能な光送受信モジュール２は、コネクタ挿着端部２２及び光ファイバコネクタ挿着端部２３を有する。コネクタ挿着端部２２は、光ファイバ信号伝送インターフェイス２２１を有する。光ファイバ信号受信処理モジュール５の信号コネクタ５２は、光ファイバ信号接続ポート５２１を有する。滑り溝を有するカバー６は、挿着ユニット６２１を配置するコネクタ結合側６２を有する。挿着ユニット６２１は、着脱可能な光送受信モジュール２のコネクタ挿着端部２２の光ファイバ信号伝送インターフェイス２２１と、光ファイバ信号受信処理モジュール５の信号コネクタ５２の光ファイバ信号接続ポート５２１とを接続するのに用いられる。また、挿着ユニット６２１は、光ファイバ信号受信処理モジュール５の信号コネクタ５２の光ファイバ信号接続ポート５２１内に挿着され、着脱可能な光送受信モジュール２が光送受信モジュール収納空間２１内に挿入されると、着脱可能な光送受信モジュール２のコネクタ挿着端部２２の光ファイバ信号伝送インターフェイス２２１は、挿着ユニット６２１に挿着される。
【００１５】
着脱可能な光送受信モジュール２は、光ファイバコネクタ挿着空間２３１を形成する光ファイバコネクタ挿着端部２３を有する。測定される光ファイバ７は、光ファイバコネクタ７１を介して光ファイバコネクタ挿着空間２３１内に挿入する。また、着脱可能な光送受信モジュール２の光ファイバコネクタ挿着端部２３は、引き手２３２を設けて、ユーザが種類や用途の異なる光ファイバに対して、測定に適した着脱可能な光送受信モジュールに交換できるように、引き手２３２を介してカバー１のモジュール収納空間１１から着脱可能な光送受信モジュール２を抜き出すことができる。
【００１６】
上部カバー１３は、変調制御ユニット１６及び電源制御ユニット１７を有する。変調制御ユニット１６は、本考案の実施形態における着脱可能な光送受信モジュールを備える光ファイバ測定装置１００の周波数帯を制御するのに用いられ、電源制御ユニット１７は、電池ユニット４が着脱可能な光送受信モジュールを備える光ファイバ測定装置１００に電源を供給するのを制御するのに用いられる。
【００１７】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１８】
【図１】本考案の実施形態による着脱可能な光送受信モジュールを備える光ファイバ測定装置を示す斜視図である。
【図２】本考案の実施形態による着脱可能な光送受信モジュールを備える光ファイバ測定装置を示す平面図である。
【図３】本考案の実施形態による着脱可能な光送受信モジュールを備える光ファイバ測定装置を示す分解斜視図である。
【図４】本考案の実施形態による着脱可能な光送受信モジュールを備える光ファイバ測定装置を示す分解側面図である。
【図５】本考案の実施形態による着脱可能な光送受信モジュールを備える光ファイバ測定装置を示す分解正面図である。
【符号の説明】
【００１９】
１  カバー
２  着脱可能な光送受信モジュール
３  防塵カバー
４  電池ユニット
５  光ファイバ信号受信処理モジュール
６  滑り溝を有するカバー
７  光ファイバ
１１  モジュール収納空間
１２  開口部
１３  上部カバー
１４  下部カバー
１５  蓋体
１６  変調制御ユニット
１７  電源制御ユニット
２１  光送受信モジュール収納空間
２２  コネクタ挿着端部
２３  光ファイバコネクタ挿着端部
５１  回路板
５２  信号コネクタ
６１  尖状凸体
６２  コネクタ結合側
７１  光ファイバコネクタ
１００  着脱可能な光送受信モジュールを備える光ファイバ測定装置
１４１  電池ユニット収納空間
２２１  光ファイバ信号伝送インターフェイス
２３１  光ファイバコネクタ挿着空間
２３２  引き手
５２１  光ファイバ信号接続ポート
６２１  挿着ユニット
【図１】
0003140640.tif 000003
【図２】
0003140640.tif 000004
【図３】
0003140640.tif 000005
【図４】
0003140640.tif 000006
【図５】
0003140640.tif 000007